(57)【要約】【課題】高倍率化を図った光学系や大型センサーを搭載したズームレンズにおいても、全ズームレンジにおいて最短撮影可能距離を大幅に短縮することが可能なマクロ撮影モードを実現する。【解決手段】ズームレンズは、光軸方向に独立して移動可能な第１および第２のレンズ群を光学系内に有する。最短撮影可能距離の異なる２つのモードの切替えの前後において、第１および第２のレンズ群のうちフォーカシングを担うレンズ群が変わり、または、第１および第２のレンズ群間の相対位置が変わる。【選択図】図１
2014066944.tif 000002
【特許請求の範囲】
【請求項１】
光軸方向に独立して移動可能な第１および第２のレンズ群を光学系内に有し、最短撮影可能距離の異なる２つのモードの切替えの前後において、前記第１および第２のレンズ群のうちフォーカシングを担うレンズ群が変わり、または、前記第１および第２のレンズ群間の相対位置が変わるズームレンズ。
【請求項２】
前記２つのモードのうち最短撮影可能距離が短いモードにおいて、前記第１および第２のレンズ群の何れか一方をズームポジション毎に一定量シフトさせることにより撮影可能距離範囲を近距離側に変化させる請求項１記載のズームレンズ。
【請求項３】
前記第１および第２のレンズ群のうち少なくとも一方がズーミングの際に独立して移動する請求項１記載のズームレンズ。
【請求項４】
前記第１および第２のレンズ群の双方がフォーカシングの際に移動量を連動させて移動する請求項１記載のズームレンズ。
【請求項５】
前記第１および第２のレンズ群が光学系の最も像側に順に並んで配置される請求項１記載のズームレンズ。
【請求項６】
前記第１および第２のレンズ群がそれぞれ１枚のレンズで構成される請求項１記載のズームレンズ。
【請求項７】
前記第１および第２のレンズ群のうち少なくとも一方が１枚のプラスティックレンズにより構成される請求項１記載のズームレンズ。
【請求項８】
正の屈折力を有する第１ズームレンズ群と、負の屈折力を有する第２ズームレンズ群と、正の屈折力を有する第３ズームレンズ群と、正の屈折力を有する第４ズームレンズ群とを物体側から順に配置することにより構成され、
前記第３レンズ群の最も像側に配置された負レンズと前記第４ズームレンズ群を構成する正レンズとが光軸方向に独立して移動可能であり、
最短撮影可能距離の異なる２つのモードの切替えの前後において、前記負レンズと前記正レンズのうちフォーカシングを担うレンズが変わり、または、前記前記負レンズと前記正レンズと間の相対位置が変わるズームレンズ。
【請求項９】
正の屈折力を有する第１ズームレンズ群と、負の屈折力を有する第２ズームレンズ群と、正の屈折力を有する第３ズームレンズ群と、負の屈折力を有する第４ズームレンズ群と、正の屈折力を有する第５ズームレンズ群とを物体側から順に配置することにより構成され、
前記第４ズームレンズ群を構成する負レンズと前記第５ズームレンズ群を構成する正レンズとが光軸方向に独立して移動可能であり、
最短撮影可能距離の異なる２つのモードの切替えの前後において、前記負レンズと前記正レンズのうちフォーカシングを担うレンズが変わり、または、前記前記負レンズと前記正レンズと間の相対位置が変わるズームレンズ。
【請求項１０】
光軸方向に独立して移動可能な第１および第２のレンズ群を光学系内に有し、最短撮影可能距離の異なる２つのモードの切替えの前後において、前記第１および第２のレンズ群のうちフォーカシングを担うレンズ群が変わり、または、前記第１および第２のレンズ群間の相対位置が変わるズームレンズと、
前記ズームレンズにより形成された光学像を電気的信号に変換する撮像素子と
を具備する撮像装置。
【請求項１１】
前記２つのモードのうちの一方を選択するための選択部をさらに具備する請求項１０記載の撮像装置。
【発明の詳細な説明】
【技術分野】
【０００１】
本技術は、ズームレンズに関する。詳しくは、最短撮影可能距離を十分に短くすることが可能なデジタルスチルカメラ、ビデオカメラ、監視カメラ等に適したズームレンズ、および、そのズームレンズを使用した撮像装置に関する。
【背景技術】
【０００２】
近年、デジタルスチルカメラの市場は非常に大きなものとなっており、ユーザのデジタルスチルカメラに対する要望も多岐に亘っている。高画質化や小型化は言うまでもなく、さらに近年では撮影レンズの高倍率化やＦ値の明るさ、より近距離の被写体撮影が可能なマクロ仕様への要望も非常に大きくなってきている。一般に、小型化および高倍率化を図ったズームレンズにおいては、フォーカシングのために移動するレンズ群を１つだけ設定し、そのフォーカスレンズ群を光軸方向に移動させることによりフォーカシングを行うタイプのものが多く採用されている。特に、合焦の速さやアクチュエータの負荷低減、さらにはフォーカスユニットの小型化が要求されるズームレンズの場合、駆動するレンズ群の重量を軽量化する必要がある。そのため、比較的フォーカスレンズの小型化および軽量化を行いやすい、いわゆるインナーフォーカスタイプや、リアフォーカスタイプの光学系がよく知られている（例えば、特許文献１参照。）。
【先行技術文献】
【特許文献】
【０００３】
【特許文献１】特開２００６−３０１４７４号公報
【発明の概要】
【発明が解決しようとする課題】
【０００４】
上述のようなフォーカスタイプの光学系の場合、可動レンズ群が光学系の内部に配置されているため、光軸方向の可動ストロークに制限が生じ、最短撮影距離を短縮することが困難となる。特に、実焦点距離が長いことから光学系の像倍率が大きくなりやすいズームレンズの望遠側や、大型センサー搭載の光学系の場合、遠景から近接被写体への合焦時に必要なフォーカスレンズ移動量が大きくなるため、この傾向が極めて顕著になる。また、従来のマクロ撮影モードにおいては、望遠端の状態や特定の焦点距離または特定の画角において近接撮影を行うように想定されており、ズームレンジを広げることが困難であった。
【０００５】
本技術はこのような状況に鑑みて生み出されたものであり、高倍率化を図った光学系や大型センサーを搭載したズームレンズにおいても、全ズームレンジにおいて最短撮影可能距離を大幅に短縮することが可能なマクロ撮影モードを実現することを目的とする。なお、ここでは大型センサーとして、例えば、１／１．７型、２／３型、１．０型、ＡＰＳ、３５ｍｍ版などを想定する。
【課題を解決するための手段】
【０００６】
本技術は、上述の問題点を解消するためになされたものであり、その第１の側面は、光軸方向に独立して移動可能な第１および第２のレンズ群を光学系内に有し、最短撮影可能距離の異なる２つのモードの切替えの前後において、上記第１および第２のレンズ群のうちフォーカシングを担うレンズ群が変わり、または、上記第１および第２のレンズ群間の相対位置が変わるズームレンズである。これにより、第１および第２のレンズ群の相対位置またはそれらのフォーカシングを担う役割を変えることにより、他のレンズ位置を変更することなく、最短撮影可能距離の異なる２つのモードを切り替えるという作用をもたらす。
【０００７】
また、この第１の側面において、上記２つのモードのうち最短撮影可能距離が短いモードにおいて、上記第１および第２のレンズ群の何れか一方をズームポジション毎に一定量シフトさせることにより撮影可能距離範囲を近距離側に変化させるようにしてもよい。これにより、簡易な制御により撮影可能距離範囲を近距離側へシフトさせるという作用をもたらす。
【０００８】
また、この第１の側面において、上記第１および第２のレンズ群のうち少なくとも一方がズーミングの際に独立して移動するようにしてもよい。これにより、第１および第２のレンズ群をズーミングにも寄与させて、ズームレンズとして光学系全体の動きを最適化するという作用をもたらす。
【０００９】
また、この第１の側面において、上記第１および第２のレンズ群の双方がフォーカシングの際に移動量を連動させて移動するようにしてもよい。これにより、最短撮影可能距離が短いモードにおいてフローティングフォーカス方式を適用して、フォーカシングの際に発生する像面湾曲収差を補正するという作用をもたらす。
【００１０】
また、この第１の側面において、上記第１および第２のレンズ群が光学系の最も像側に順に並んで配置されるように構成してもよい。これにより、第１および第２のレンズ群の構成を簡素化し、小型化および軽量化させるという作用をもたらす。
【００１１】
また、この第１の側面において、上記第１および第２のレンズ群がそれぞれ１枚のレンズで構成されてもよい。さらに、上記第１および第２のレンズ群のうち少なくとも一方が１枚のプラスティックレンズにより構成されてもよい。これにより、第１および第２のレンズ群を小型化および軽量化させるという作用をもたらす。
【００１２】
また、本技術の第２の側面は、正の屈折力を有する第１ズームレンズ群と、負の屈折力を有する第２ズームレンズ群と、正の屈折力を有する第３ズームレンズ群と、正の屈折力を有する第４ズームレンズ群とを物体側から順に配置することにより構成され、上記第３レンズ群の最も像側に配置された負レンズと上記第４ズームレンズ群を構成する正レンズとが光軸方向に独立して移動可能であり、最短撮影可能距離の異なる２つのモードの切替えの前後において、上記負レンズと上記正レンズのうちフォーカシングを担うレンズが変わり、または、上記上記負レンズと上記正レンズと間の相対位置が変わるズームレンズである。４群構成のズームレンズに適用したものである。
【００１３】
また、本技術の第３の側面は、正の屈折力を有する第１ズームレンズ群と、負の屈折力を有する第２ズームレンズ群と、正の屈折力を有する第３ズームレンズ群と、負の屈折力を有する第４ズームレンズ群と、正の屈折力を有する第５ズームレンズ群とを物体側から順に配置することにより構成され、上記第４ズームレンズ群を構成する負レンズと上記第５ズームレンズ群を構成する正レンズとが光軸方向に独立して移動可能であり、最短撮影可能距離の異なる２つのモードの切替えの前後において、上記負レンズと上記正レンズのうちフォーカシングを担うレンズが変わり、または、上記上記負レンズと上記正レンズと間の相対位置が変わるズームレンズである。５群構成のズームレンズに適用したものである。
【００１４】
また、本技術の第３の側面は、光軸方向に独立して移動可能な第１および第２のレンズ群を光学系内に有し、最短撮影可能距離の異なる２つのモードの切替えの前後において、上記第１および第２のレンズ群のうちフォーカシングを担うレンズ群が変わり、または、上記第１および第２のレンズ群間の相対位置が変わるズームレンズと、上記ズームレンズにより形成された光学像を電気的信号に変換する撮像素子とを具備する撮像装置である。これにより、ズームレンズにおける第１および第２のレンズ群の相対位置またはそれらのフォーカシングを担う役割を変えることにより、他のレンズ位置を変更することなく、最短撮影可能距離の異なる２つのモードを切り替えるという作用をもたらす。
【００１５】
また、この第４の側面において、上記２つのモードのうちの一方を選択するための選択部をさらに具備するようにしてもよい。これにより、２つのモードの何れかをユーザ側から選択させるという作用をもたらす。
【発明の効果】
【００１６】
本技術によれば、高倍率化を図った光学系や大型センサーを搭載したズームレンズにおいても、全ズームレンジにおいて最短撮影可能距離を大幅に短縮することが可能なマクロ撮影モードを実現することができるという優れた効果を奏し得る。
【図面の簡単な説明】
【００１７】
【図１】本技術の第１の実施の形態におけるズームレンズのレンズ構成を示す図である。
【図２】本技術の第２の実施の形態におけるズームレンズのレンズ構成を示す図である。
【図３】本技術の第３の実施の形態におけるズームレンズのレンズ構成を示す図である。
【図４】本技術の第４の実施の形態におけるズームレンズのレンズ構成を示す図である。
【図５】本技術の第５の実施の形態におけるズームレンズのレンズ構成を示す図である。
【図６】本技術の第６の実施の形態におけるズームレンズのレンズ構成を示す図である。
【図７】本技術の第７の実施の形態におけるズームレンズのレンズ構成を示す図である。
【図８】本技術の第８の実施の形態におけるズームレンズのレンズ構成を示す図である。
【図９】本技術の第９の実施の形態におけるズームレンズのレンズ構成を示す図である。
【図１０】本技術の第１０の実施の形態におけるズームレンズのレンズ構成を示す図である。
【図１１】本技術の第１１の実施の形態におけるズームレンズのレンズ構成を示す図である。
【図１２】本技術の第１２の実施の形態におけるズームレンズのレンズ構成を示す図である。
【図１３】本技術の第１乃至１２の実施の形態によるズームレンズを撮像装置１００に適用した例を示す図である。
【発明を実施するための形態】
【００１８】
本開示のズームレンズは、光学系内に、例えば、リニアモーターやステッピングモーター等のような駆動機構により構成される２つのフォーカスアクチュエータと、その各々により光軸方向に駆動する２つの可動レンズ群を有する。遠景から近距離物体まで合焦可能な通常撮影モードに加えて、最短撮影可能距離を短縮するためのマクロ撮影モードを有する。通常撮影モードとマクロ撮影モードの切替えの前後において、２つの可動レンズ群のうちフォーカシングを担うレンズ群が変わり、または、２つの可動レンズ群間の相対位置が変わる。
【００１９】
本開示のズームレンズにおいて、マクロ撮影モードをアクチュエータ駆動により設定するように構成してもよい。これにより、例えば、メカニカルな鏡筒機構を採用した場合よりも、鏡筒構造が簡素になり、また、実使用上のモード切り替えを円滑に行うことが可能になるため、カメラの小型化およびユーザビリティの観点においてメリットがある。
【００２０】
好ましい実施形態としては、マクロ撮影モード選択時に、光学系内に配置された２つの可動レンズ群の１つをアクチュエータによってズームポジション毎に一定量シフトさせて、撮影可能距離範囲を全ズーム域にわたって近距離側に変化させる方法が挙げられる。これにより、光学系のバックフォーカスを非常にシンプルな方法でズームポジション毎に一定量シフトさせることが可能となるため、撮影可能距離範囲を容易に近距離側へシフトすることが可能となり、また、アクチュエータ制御が容易になる。
【００２１】
また、本開示のズームレンズは、以下の条件式（ａ）および（ｂ）を満たすことが好ましい。
条件式（ａ）：  ０．０１ ＜ ｜Ｄmacro_w｜／ｆｗ ＜ ０．１
条件式（ｂ）：  ０．０２ ＜ ｜Ｄmacro_t｜／ｆｔ ＜ ０．２
但し、
Ｄmacro_w：広角端におけるマクロ撮影モード選択時のシフトレンズ移動量
Ｄmacro_t：望遠端におけるマクロ撮影モード選択時のシフトレンズ移動量
ｆｗ：広角端における光学全系の焦点距離
ｆｔ：望遠端における光学全系の焦点距離
とする。
【００２２】
本開示のズームレンズは、光学系内の２つの可動レンズ群のうち、少なくとも１つがズーミングの際に独立して移動する。これにより、可動レンズ群をズーミングにも寄与させることが可能となるため、ズームレンズの小型化および高倍率化や、高画質化を図ることが可能となる。また、鏡筒に搭載したアクチュエータが持つ可動ストロークの利用効率を最大限に高めることが可能となる。
【００２３】
最良の実施形態としては、光学系内の２つの可動レンズ群が、フォーカシングの際に移動量を連動させて双方が移動する、フローティングフォーカス方式を採用することが望ましい。これにより、フォーカシングの際に発生する像面湾曲収差を良好に補正することが可能となる。そのため、フォーカシング時に像面湾曲が発生しやすい広角レンズや、実焦点距離が長いズームレンズの望遠側や大型センサー搭載の光学系においても近距離撮影時の画質向上を図ることが可能となる。ここで、大型センサーとしては、例えば、１／１．７型、２／３型、１．０型、ＡＰＳ、３５ｍｍ版などが想定される。特に、例えば、広角端でＦ２．８以下、望遠端でＦ４．０以下のような大口径レンズの場合、焦点深度が非常に浅くなるため、像面湾曲収差の発生は、著しい画質劣化に直結するため、上述のフローティングフォーカス方式は画質の向上に対して特に効果的である。さらに、このような構成にすることによっても、鏡筒に搭載したアクチュエータが持つ可動ストロークの利用効率を最大限に高める効果が得られる。
【００２４】
本開示のズームレンズでは、光学系内の２つの可動レンズ群が、ともにＦ値決定部材（絞り）よりも像側に配置されており、しかも光学系の最も像側に順に並んで配置される。これにより、Ｆ値決定部材よりも物体側に配置されたレンズによりフォーカシングする光学系に比べて、可動レンズ群の構成を簡素にし、小型化および軽量化することが容易になす。また、それを駆動するアクチュエータも同時に小型化させることが可能となるため、結果としてレンズ鏡筒の小型化を図ることが可能となる。
【００２５】
本開示のズームレンズは、光学系内の２つの可動レンズ群が、それぞれ１枚のレンズで構成される。これにより、駆動するレンズ群の小型化および軽量化が実現できるため、アクチュエータへの負荷を低減することが可能となる上、フォーカススピードやフォーカス精度の向上を図ることが可能となる。特に、最良の実施形態としては、光学系内の２つの可動レンズ群のうち少なくとも１つを、１枚のプラスティックレンズで構成するのが好ましい、これにより上述のメリットをより効果的に実現することができる。
【００２６】
本開示のズームレンズは、物体側から順に、正の屈折力を有する第１ズームレンズ群と、負の屈折力を有する第２ズームレンズ群と、正の屈折力を有する第３ズームレンズ群と、正の屈折力を有する第４ズームレンズ群とからなる４群構成を有する。この場合、第３レンズ群の最も像側に配置された負レンズと、第４ズームレンズ群を構成している正レンズとが、各々フォーカスアクチュエータにより光軸方向に移動可能な構成を有する。また、他の構成として、物体側から順に、正の屈折力を有する第１ズームレンズ群と、負の屈折力を有する第２ズームレンズ群と、正の屈折力を有する第３ズームレンズ群と、負の屈折力を有する第４ズームレンズ群と、正の屈折力を有する第５ズームレンズ群とからなる５群構成を有する。この場合、第４ズームレンズ群を構成している負レンズと、第５ズームレンズ群を構成している正レンズとが、各々フォーカスアクチュエータにより光軸方向に移動可能な構成を有する。このようなズーム構成およびフォーカス構成を採用することにより、小型化および高倍率化や十分に明るいＦ値を達成し、十分短い最短撮影可能距離を実現するズームレンズを得ることが可能となる。
【００２７】
以下、本技術を実施するための形態（以下、実施の形態と称する）について説明する。説明は以下の順序により行う。
１．第１の実施の形態（移動形態例１）
２．第２の実施の形態（移動形態例２）
３．第３の実施の形態（移動形態例３）
４．第４の実施の形態（移動形態例４）
５．第５の実施の形態（移動形態例５）
６．第６の実施の形態（移動形態例６）
７．第７の実施の形態（移動形態例７）
８．第８の実施の形態（数値実施例１）
９．第９の実施の形態（数値実施例２）
１０．第１０の実施の形態（数値実施例３）
１１．第１１の実施の形態（数値実施例４）
１２．第１２の実施の形態（数値実施例５）
１３．適用例（撮像装置）
【００２８】
＜１．第１の実施の形態＞
［レンズ構成］
図１は、本技術の第１の実施の形態におけるズームレンズのレンズ構成を示す図である。このズームレンズは、遠景から近距離物体まで合焦可能な通常撮影モードと、通常撮影モードよりも最短撮影可能距離を短縮するためのマクロ撮影モードとを有する。同図において、左側が通常撮影モードにおける移動形態を示し、右側がマクロ撮影モードにおける移動形態を示す。また、最上側が広角端におけるレンズの配置状態を示し、最下側が望遠端におけるレンズの配置状態を示し、その間の３つが広角端から望遠端まで遷移する様子を示している。以下の第２乃至第７の実施の形態についても同様である。
【００２９】
このズームレンズは、物体側より順に、正の屈折力を有する第１ズームレンズ群ＧＲ１と、負の屈折力を有する第２ズームレンズ群ＧＲ２と、正の屈折力を有する第３ズームレンズ群ＧＲ３と、正の屈折力を有する第４ズームレンズ群ＧＲ４とから構成される。
【００３０】
第１ズームレンズ群ＧＲ１は、物体側から像側へ順に、像側に凹面を向けたメニスカス形状の負レンズＬ１１および物体側に凸面を向けたメニスカス形状の正レンズＬ１２が接合されてなる接合レンズから構成される。
【００３１】
第２ズームレンズ群ＧＲ２は、像側に凹面を向けたメニスカス形状の負レンズＬ２１と、負レンズＬ２２と、物体側に凸面を向けたメニスカス形状の正レンズＬ２３とを、物体側から像側へ順に配置することにより構成される。
【００３２】
第３ズームレンズ群ＧＲ３は、正レンズＬ３１と、正レンズＬ３２および負レンズＬ３３の接合レンズと、像側に凸面を向けたメニスカス形状の正レンズＬ３４と、正レンズＬ３５と、像側に凹面を向けたメニスカス形状の負レンズＬ３６とを、物体側から像側へ順に配置することにより構成される。
【００３３】
第４ズームレンズ群ＧＲ４は、物体側に凸面を向けたメニスカス形状の正レンズＬ４１から構成される。
【００３４】
［移動形態］
この第１の実施の形態におけるズームレンズでは、広角端から望遠端へのズーミングに際し、第１ズームレンズ群ＧＲ１が第２ズームレンズ群ＧＲ２との間隔を広げるように物体側へ移動する。また、その際、第３ズームレンズ群ＧＲ３が第２ズームレンズ群ＧＲ２との間隔を縮めるように物体側へ移動する。第２ズームレンズ群ＧＲ２は、広角端と望遠端の間のズーミングに際し、像側へ移動した後に物体側へ移動するよう遷移する。また、第４ズームレンズ群ＧＲ４は、広角端から望遠端へのズーミングに際し、物体側へ移動した後に像側へ移動するよう遷移する。
【００３５】
このズームレンズでは、遠距離から近距離へのフォーカシングの際に、第３ズームレンズ群ＧＲ３の負レンズＬ３６が光軸に沿って像側方向に移動する。また、第４ズームレンズ群ＧＲ４の正レンズＬ４１は、通常撮影モードからマクロ撮影モードに切替えが行われる際に、光軸に沿って物体側方向に移動（シフト）する。すなわち、通常撮影モードとマクロ撮影モードの切替えの前後において、第３ズームレンズ群ＧＲ３の負レンズＬ３６と第４ズームレンズ群ＧＲ４の正レンズＬ４１との間の相対位置が変わるように構成される。換言すると、第３ズームレンズ群ＧＲ３の負レンズＬ３６および第４ズームレンズ群ＧＲ４の正レンズＬ４１以外のレンズは、モード切替えの前後においても位置が変わらない。
【００３６】
＜２．第２の実施の形態＞
［レンズ構成］
図２は、本技術の第２の実施の形態におけるズームレンズのレンズ構成を示す図である。このズームレンズは、基本的なレンズ構成については上述の第１の実施の形態と同様であるため、説明を省略する。
【００３７】
［移動形態］
この第２の実施の形態におけるズームレンズでは、広角端から望遠端へのズーミングに際し、第１ズームレンズ群ＧＲ１が第２ズームレンズ群ＧＲ２との間隔を広げるように物体側へ移動する。また、その際、第３ズームレンズ群ＧＲ３が第２ズームレンズ群ＧＲ２との間隔を縮めるように物体側へ移動する。第２ズームレンズ群ＧＲ２は、広角端と望遠端の間のズーミングに際し、像側へ移動した後に物体側へ移動するよう遷移する。また、第４ズームレンズ群ＧＲ４は、広角端から望遠端へのズーミングに際し、物体側へ移動した後に像側へ移動するよう遷移する。
【００３８】
このズームレンズでは、通常撮影モードにおいては、遠距離から近距離へのフォーカシングの際に、第３ズームレンズ群ＧＲ３の負レンズＬ３６および第４ズームレンズ群ＧＲ４の正レンズＬ４１が移動量を連動させて像側方向に移動する。すなわち、このズームレンズは、フローティングフォーカス方式を採用する。また、第４ズームレンズ群ＧＲ４の正レンズＬ４１は、通常撮影モードからマクロ撮影モードに切替えが行われる際に、光軸に沿って物体側方向に移動（シフト）する。すなわち、通常撮影モードとマクロ撮影モードの切替えの前後において、第３ズームレンズ群ＧＲ３の負レンズＬ３６と第４ズームレンズ群ＧＲ４の正レンズＬ４１との間の相対位置が変わるように構成される。また、通常撮影モードとマクロ撮影モードの切替えの前後において、第３ズームレンズ群ＧＲ３の負レンズＬ３６と第４ズームレンズ群ＧＲ４の正レンズＬ４１とのうちフォーカシングを担うレンズが変わるように構成される。換言すると、第３ズームレンズ群ＧＲ３の負レンズＬ３６および第４ズームレンズ群ＧＲ４の正レンズＬ４１以外のレンズは、モード切替えの前後においても位置が変わらない。
【００３９】
＜３．第３の実施の形態＞
［レンズ構成］
図３は、本技術の第３の実施の形態におけるズームレンズのレンズ構成を示す図である。このズームレンズは、基本的なレンズ構成については上述の第１の実施の形態と同様であるため、説明を省略する。
【００４０】
［移動形態］
この第３の実施の形態におけるズームレンズでは、広角端から望遠端へのズーミングに際し、第１ズームレンズ群ＧＲ１が第２ズームレンズ群ＧＲ２との間隔を広げるように物体側へ移動する。また、その際、第３ズームレンズ群ＧＲ３が第２ズームレンズ群ＧＲ２との間隔を縮めるように物体側へ移動する。第２ズームレンズ群ＧＲ２は、広角端と望遠端の間のズーミングに際し、像側へ移動した後に物体側へ移動するよう遷移する。また、第４ズームレンズ群ＧＲ４は、広角端から望遠端へのズーミングに際し、物体側へ移動した後に像側へ移動するよう遷移する。
【００４１】
このズームレンズでは、通常撮影モードにおいては、遠距離から近距離へのフォーカシングの際に、第３ズームレンズ群ＧＲ３の負レンズＬ３６が光軸に沿って像側方向に移動する。また、第３ズームレンズ群ＧＲ３の負レンズＬ３６は、通常撮影モードからマクロ撮影モードに切替えが行われる際に、光軸に沿って像側方向に移動（シフト）する。そして、マクロ撮影モードにおいては、遠距離から近距離へのフォーカシングの際に、第４ズームレンズ群ＧＲ４の正レンズＬ４１が光軸に沿って物体側方向に移動する。すなわち、通常撮影モードとマクロ撮影モードの切替えの前後において、第３ズームレンズ群ＧＲ３の負レンズＬ３６と第４ズームレンズ群ＧＲ４の正レンズＬ４１とのうちフォーカシングを担うレンズが変わるように構成される。また、通常撮影モードとマクロ撮影モードの切替えの前後において、第３ズームレンズ群ＧＲ３の負レンズＬ３６と第４ズームレンズ群ＧＲ４の正レンズＬ４１との間の相対位置が変わるように構成される。換言すると、第３ズームレンズ群ＧＲ３の負レンズＬ３６および第４ズームレンズ群ＧＲ４の正レンズＬ４１以外のレンズは、モード切替えの前後においても位置が変わらない。
【００４２】
＜４．第４の実施の形態＞
［レンズ構成］
図４は、本技術の第４の実施の形態におけるズームレンズのレンズ構成を示す図である。このズームレンズは、基本的なレンズ構成については上述の第１の実施の形態と同様であるため、説明を省略する。
【００４３】
［移動形態］
この第４の実施の形態におけるズームレンズでは、広角端から望遠端へのズーミングに際し、第１ズームレンズ群ＧＲ１が第２ズームレンズ群ＧＲ２との間隔を広げるように物体側へ移動する。また、その際、第３ズームレンズ群ＧＲ３が第２ズームレンズ群ＧＲ２との間隔を縮めるように物体側へ移動する。第２ズームレンズ群ＧＲ２は、広角端と望遠端の間のズーミングに際し、像側へ移動した後に物体側へ移動するよう遷移する。また、第４ズームレンズ群ＧＲ４は、広角端から望遠端へのズーミングに際し、物体側へ移動した後に像側へ移動するよう遷移する。
【００４４】
このズームレンズでは、遠距離から近距離へのフォーカシングの際に、第４ズームレンズ群ＧＲ４の正レンズＬ４１が光軸に沿って物体側方向に移動する。また、第３ズームレンズ群ＧＲ３の負レンズＬ３６は、通常撮影モードからマクロ撮影モードに切替えが行われる際に、光軸に沿って像側方向に移動（シフト）する。すなわち、通常撮影モードとマクロ撮影モードの切替えの前後において、第３ズームレンズ群ＧＲ３の負レンズＬ３６と第４ズームレンズ群ＧＲ４の正レンズＬ４１との間の相対位置が変わるように構成される。換言すると、第３ズームレンズ群ＧＲ３の負レンズＬ３６および第４ズームレンズ群ＧＲ４の正レンズＬ４１以外のレンズは、モード切替えの前後においても位置が変わらない。
【００４５】
＜５．第５の実施の形態＞
［レンズ構成］
図５は、本技術の第５の実施の形態におけるズームレンズのレンズ構成を示す図である。このズームレンズは、基本的なレンズ構成については上述の第１の実施の形態と同様であるため、説明を省略する。
【００４６】
［移動形態］
この第５の実施の形態におけるズームレンズでは、広角端から望遠端へのズーミングに際し、第１ズームレンズ群ＧＲ１が第２ズームレンズ群ＧＲ２との間隔を広げるように物体側へ移動する。また、その際、第３ズームレンズ群ＧＲ３が第２ズームレンズ群ＧＲ２との間隔を縮めるように物体側へ移動する。第２ズームレンズ群ＧＲ２は、広角端と望遠端の間のズーミングに際し、像側へ移動した後に物体側へ移動するよう遷移する。また、第４ズームレンズ群ＧＲ４は、広角端から望遠端へのズーミングに際し、物体側へ移動した後に像側へ移動するよう遷移する。
【００４７】
このズームレンズでは、通常撮影モードにおいては、遠距離から近距離へのフォーカシングの際に、第４ズームレンズ群ＧＲ４の正レンズＬ４１が光軸に沿って物体側方向に移動する。また、第４ズームレンズ群ＧＲ４の正レンズＬ４１は、通常撮影モードからマクロ撮影モードに切替えが行われる際に、光軸に沿って物体側方向に移動（シフト）する。そして、マクロ撮影モードにおいては、遠距離から近距離へのフォーカシングの際に、第３ズームレンズ群ＧＲ３の負レンズＬ３６が光軸に沿って像側方向に移動する。すなわち、通常撮影モードとマクロ撮影モードの切替えの前後において、第３ズームレンズ群ＧＲ３の負レンズＬ３６と第４ズームレンズ群ＧＲ４の正レンズＬ４１とのうちフォーカシングを担うレンズが変わるように構成される。また、通常撮影モードとマクロ撮影モードの切替えの前後において、第３ズームレンズ群ＧＲ３の負レンズＬ３６と第４ズームレンズ群ＧＲ４の正レンズＬ４１との間の相対位置が変わるように構成される。換言すると、第３ズームレンズ群ＧＲ３の負レンズＬ３６および第４ズームレンズ群ＧＲ４の正レンズＬ４１以外のレンズは、モード切替えの前後においても位置が変わらない。
【００４８】
＜６．第６の実施の形態＞
［レンズ構成］
図６は、本技術の第６の実施の形態におけるズームレンズのレンズ構成を示す図である。このズームレンズは、基本的なレンズ構成については上述の第１の実施の形態と同様であるため、説明を省略する。
【００４９】
［移動形態］
この第６の実施の形態におけるズームレンズでは、広角端から望遠端へのズーミングに際し、第１ズームレンズ群ＧＲ１が第２ズームレンズ群ＧＲ２との間隔を広げるように物体側へ移動する。また、その際、第３ズームレンズ群ＧＲ３が第２ズームレンズ群ＧＲ２との間隔を縮めるように物体側へ移動する。第２ズームレンズ群ＧＲ２は、広角端と望遠端の間のズーミングに際し、像側へ移動した後に物体側へ移動するよう遷移する。また、第４ズームレンズ群ＧＲ４は、広角端から望遠端へのズーミングに際し、物体側へ移動した後に像側へ移動するよう遷移する。
【００５０】
このズームレンズでは、通常撮影モードにおいては、遠距離から近距離へのフォーカシングの際に、第３ズームレンズ群ＧＲ３の負レンズＬ３６が光軸に沿って像側方向に移動する。一方、マクロ撮影モードにおいては、遠距離から近距離へのフォーカシングの際に、第３ズームレンズ群ＧＲ３の負レンズＬ３６が光軸に沿って像側方向に移動するとともに、第４ズームレンズ群ＧＲ４の正レンズＬ４１が光軸に沿って物体側方向に移動する。すなわち、通常撮影モードとマクロ撮影モードの切替えの前後において、第３ズームレンズ群ＧＲ３の負レンズＬ３６と第４ズームレンズ群ＧＲ４の正レンズＬ４１とのうちフォーカシングを担うレンズが変わるように構成される。また、通常撮影モードとマクロ撮影モードの切替えの前後において、第３ズームレンズ群ＧＲ３の負レンズＬ３６と第４ズームレンズ群ＧＲ４の正レンズＬ４１との間の相対位置が変わるように構成される。換言すると、第３ズームレンズ群ＧＲ３の負レンズＬ３６および第４ズームレンズ群ＧＲ４の正レンズＬ４１以外のレンズは、モード切替えの前後においても位置が変わらない。
【００５１】
＜７．第７の実施の形態＞
［レンズ構成］
図７は、本技術の第７の実施の形態におけるズームレンズのレンズ構成を示す図である。このズームレンズは、基本的なレンズ構成については上述の第１の実施の形態と同様であるため、説明を省略する。
【００５２】
［移動形態］
この第７の実施の形態におけるズームレンズでは、広角端から望遠端へのズーミングに際し、第１ズームレンズ群ＧＲ１が第２ズームレンズ群ＧＲ２との間隔を広げるように物体側へ移動する。また、その際、第３ズームレンズ群ＧＲ３が第２ズームレンズ群ＧＲ２との間隔を縮めるように物体側へ移動する。第２ズームレンズ群ＧＲ２は、広角端と望遠端の間のズーミングに際し、像側へ移動した後に物体側へ移動するよう遷移する。また、第４ズームレンズ群ＧＲ４は、広角端から望遠端へのズーミングに際し、物体側へ移動した後に像側へ移動するよう遷移する。
【００５３】
このズームレンズでは、通常撮影モードにおいては、遠距離から近距離へのフォーカシングの際に、第３ズームレンズ群ＧＲ３の負レンズＬ３６および第４ズームレンズ群ＧＲ４の正レンズＬ４１が移動量を連動させて像側方向に移動する。すなわち、このズームレンズは、フローティングフォーカス方式を採用する。一方、マクロ撮影モードにおいては、第３ズームレンズ群ＧＲ３の負レンズＬ３６は光軸に沿って像側方向に移動し、第４ズームレンズ群ＧＲ４の正レンズＬ４１は光軸に沿って物体側方向に移動する。すなわち、通常撮影モードとマクロ撮影モードの切替えの前後において、第３ズームレンズ群ＧＲ３の負レンズＬ３６と第４ズームレンズ群ＧＲ４の正レンズＬ４１との間の相対位置が変わるように構成される。換言すると、第３ズームレンズ群ＧＲ３の負レンズＬ３６および第４ズームレンズ群ＧＲ４の正レンズＬ４１以外のレンズは、モード切替えの前後においても位置が変わらない。
【００５４】
次に、本技術の実施の形態におけるレンズの数値実施例について説明する。以下の各表や説明において示した記号の意味等については、下記に示す通りである。すなわち、「ｓｉ」は物体側から数えてｉ番目の面を意味する面番号を示す。「ｒｉ」は物体側から数えて第ｉ番目の面の曲率半径を示す。「ｄｉ」は物体側から数えて第ｉ番目の面と第ｉ＋１番目の面との間の軸上面間隔を示す。「ｎｉ」は物体側に第ｉ面を有する硝材のｄ線（波長５８７．６ｎｍ）に対する屈折率を示す。「νｉ」は物体側に第ｉ面を有する硝材のｄ線に対するアッベ数を示す。そして、曲率半径に関し「ＩＮＦＩＮＩＴＹ」は、当該面が平面であることを示す。また、面番号に付された「ＡＳＰ」は、当該面が非球面形状で構成されていることを示す。また、面番号における「ＳＴＯ」は、当該面が開口絞りになっていることを示す。また、「ｆ」は焦点距離を示す。「Ｆｎｏ」はＦ値（Ｆナンバー）を示す。「ω」は半画角を示す。
【００５５】
また、各実施の形態において用いられるズームレンズには、上述のようにレンズ面が非球面によって構成されるものがある。レンズ面の頂点から光軸方向の距離（サグ量）を「ｘ」、光軸と垂直な方向の高さを「ｙ」、レンズ頂点での近軸曲率を「ｃ」、円錐（コーニック）定数を「к」とすると、
ｘ＝ｃｙ2／（１＋（１−（１＋к）ｃ2ｙ2）1/2）
＋Ａ４ｙ4＋Ａ６ｙ6＋Ａ８ｙ8＋Ａ１０ｙ10
によって定義されるものとする。なお、Ａ４、Ａ６、Ａ８およびＡ１０は、それぞれ第４次、第６次、第８次および第１０次の非球面係数である。
【００５６】
＜８．第８の実施の形態＞
［レンズ構成］
図８は、本技術の第８の実施の形態におけるズームレンズのレンズ構成を示す図である。この第８の実施の形態におけるズームレンズは、物体側より順に、正の屈折力を有する第１ズームレンズ群ＧＲ１と、負の屈折力を有する第２ズームレンズ群ＧＲ２と、正の屈折力を有する第３ズームレンズ群ＧＲ３と、正の屈折力を有する第４ズームレンズ群ＧＲ４とから構成される。
【００５７】
第１ズームレンズ群ＧＲ１は、物体側から像側へ順に、像側に凹面を向けたメニスカス形状の負レンズＬ１１および物体側に凸面を向けたメニスカス形状の正レンズＬ１２が接合されてなる接合レンズから構成される。
【００５８】
第２ズームレンズ群ＧＲ２は、像側に凹面を向けたメニスカス形状の負レンズＬ２１と、負レンズＬ２２と、物体側に凸面を向けたメニスカス形状の正レンズＬ２３とを、物体側から像側へ順に配置することにより構成される。
【００５９】
第３ズームレンズ群ＧＲ３は、正レンズＬ３１と、正レンズＬ３２および負レンズＬ３３の接合レンズと、像側に凸面を向けたメニスカス形状の正レンズＬ３４と、正レンズＬ３５と、像側に凹面を向けたメニスカス形状の負レンズＬ３６とを、物体側から像側へ順に配置することにより構成される。
【００６０】
第４ズームレンズ群ＧＲ４は、物体側に凸面を向けたメニスカス形状の正レンズＬ４１から構成される。
【００６１】
第３ズームレンズ群ＧＲ３の物体側には、開口絞りＳＴＯが配置される。また、第４ズームレンズ群ＧＲ４と像面ＩＭＧとの間には、フィルタＳＧが配置される。
【００６２】
このズームレンズでは、負レンズＬ３６をフォーカスレンズ群Ａとし、正レンズＬ４１をフォーカスレンズ群Ｂとして、フォーカシングの際にフォーカスレンズ群ＡおよびＢが互いに連動して移動するフローティングフォーカス方式を採用する。遠距離から近距離へのフォーカシングの際には、フォーカスレンズ群ＡおよびＢは光軸に沿って像側方向に移動する。フォーカスレンズ群ＡおよびＢのフォーカシング時におけるレンズ移動距離の相対関係は、ズームポジション毎に変化する。また、フォーカスレンズ群ＡおよびＢのフォーカシング時におけるレンズ移動距離は、互いに線形の関係を示す。
【００６３】
また、このズームレンズでは、通常撮影モードとマクロ撮影モードの切替えの前後において、第３ズームレンズ群ＧＲ３の負レンズＬ３６と第４ズームレンズ群ＧＲ４の正レンズＬ４１との間の相対位置が変わるように構成される。また、通常撮影モードとマクロ撮影モードの切替えの前後において、第３ズームレンズ群ＧＲ３の負レンズＬ３６と第４ズームレンズ群ＧＲ４の正レンズＬ４１とのうちフォーカシングを担うレンズが変わるように構成される。
【００６４】
［ズームレンズの緒元］
表１に、第８の実施の形態におけるズームレンズに具体的数値を適用した数値実施例１のレンズデータを示す。
【表１】
2014066944.tif 000003
【００６５】
この数値実施例１のズームレンズでは、第２ズームレンズ群ＧＲ２の負レンズＬ２１の両面（第４面、第５面）、正レンズＬ２３の両面（第８面、第９面）、第３ズームレンズ群ＧＲ３の正レンズＬ３１の両面（第１１面、第１２面）、正レンズＬ３４の両面（第１６面、第１７面）、第４ズームレンズ群ＧＲ４の正レンズＬ４１の両面（第２２面、第２３面）は、非球面に形成される。これら各面の円錐定数к、第４次、第６次、第８次および第１０次の非球面係数Ａ４、Ａ６、Ａ８およびＡ１０を、表２に示す。なお、表２および以下の非球面係数を示す表において「Ｅ−ｉ」は１０を底とする指数表現、すなわち、「１０-i」を表しており、例えば、「０．１２３４５Ｅ−０５」は「０．１２３４５×１０-5」を表している。
【表２】
2014066944.tif 000004
【００６６】
表３に、この数値実施例１の広角端状態、中間焦点距離状態および望遠端状態における焦点距離ｆ、Ｆ値Ｆｎｏおよび半画角ωを示す。
【表３】
2014066944.tif 000005
【００６７】
この数値実施例１のズームレンズでは、通常撮影モードにおける広角端状態と望遠端状態の間の変倍に際して、被写体距離を無限遠とした場合には、第１ズームレンズ群ＧＲ１と第２ズームレンズ群ＧＲ２との間の面間隔ｄ３、第２ズームレンズ群ＧＲ２と第３ズームレンズ群ＧＲ３との間の面間隔ｄ９、正レンズＬ３５と負レンズＬ３６との間の面間隔ｄ１９、第３ズームレンズ群ＧＲ３と第４ズームレンズ群ＧＲ４との間の面間隔ｄ２１、第４ズームレンズ群ＧＲ４とフィルタＳＧとの間の面間隔ｄ２３が変化する。この場合における各面間隔の広角端状態、中間焦点距離状態および望遠端状態における可変間隔を表４に示す。
【表４】
2014066944.tif 000006
【００６８】
また、この数値実施例１のズームレンズでは、通常撮影モードにおける広角端状態と望遠端状態の間の変倍に際して、被写体距離を至近とした場合には、正レンズＬ３５と負レンズＬ３６との間の面間隔ｄ１９、第３ズームレンズ群ＧＲ３と第４ズームレンズ群ＧＲ４との間の面間隔ｄ２１、第４ズームレンズ群ＧＲ４とフィルタＳＧとの間の面間隔ｄ２３が変化する。この場合における各面間隔の広角端状態、中間焦点距離状態および望遠端状態における可変間隔を表５に示す。
【表５】
2014066944.tif 000007
【００６９】
また、この数値実施例１のズームレンズでは、マクロ撮影モードにおける広角端状態と望遠端状態の間の変倍に際して、被写体距離を至近とした場合には、正レンズＬ３５と負レンズＬ３６との間の面間隔ｄ１９、第３ズームレンズ群ＧＲ３と第４ズームレンズ群ＧＲ４との間の面間隔ｄ２１、第４ズームレンズ群ＧＲ４とフィルタＳＧとの間の面間隔ｄ２３が変化する。この場合における各面間隔の広角端状態、中間焦点距離状態および望遠端状態における可変間隔を表６に示す。
【表６】
2014066944.tif 000008
【００７０】
＜９．第９の実施の形態＞
［レンズ構成］
図９は、本技術の第９の実施の形態におけるズームレンズのレンズ構成を示す図である。この第９の実施の形態におけるズームレンズは、物体側より順に、正の屈折力を有する第１ズームレンズ群ＧＲ１と、負の屈折力を有する第２ズームレンズ群ＧＲ２と、正の屈折力を有する第３ズームレンズ群ＧＲ３と、正の屈折力を有する第４ズームレンズ群ＧＲ４とから構成される。
【００７１】
第１ズームレンズ群ＧＲ１は、物体側から像側へ順に、像側に凹面を向けたメニスカス形状の負レンズＬ１１および物体側に凸面を向けたメニスカス形状の正レンズＬ１２が接合されてなる接合レンズから構成される。
【００７２】
第２ズームレンズ群ＧＲ２は、像側に凹面を向けたメニスカス形状の負レンズＬ２１と、負レンズＬ２２と、物体側に凸面を向けたメニスカス形状の正レンズＬ２３とを、物体側から像側へ順に配置することにより構成される。
【００７３】
第３ズームレンズ群ＧＲ３は、正レンズＬ３１と、正レンズＬ３２および負レンズＬ３３の接合レンズと、像側に凸面を向けたメニスカス形状の正レンズＬ３４と、正レンズＬ３５と、像側に凹面を向けたメニスカス形状の負レンズＬ３６とを、物体側から像側へ順に配置することにより構成される。
【００７４】
第４ズームレンズ群ＧＲ４は、物体側に凸面を向けたメニスカス形状の正レンズＬ４１から構成される。
【００７５】
第３ズームレンズ群ＧＲ３の物体側には、開口絞りＳＴＯが配置される。また、第４ズームレンズ群ＧＲ４と像面ＩＭＧとの間には、フィルタＳＧが配置される。
【００７６】
このズームレンズでは、負レンズＬ３６をフォーカスレンズ群Ａとし、正レンズＬ４１をフォーカスレンズ群Ｂとして、フォーカシングの際にフォーカスレンズ群ＡおよびＢが互いに連動して移動するフローティングフォーカス方式を採用する。遠距離から近距離へのフォーカシングの際には、フォーカスレンズ群ＡおよびＢは光軸に沿って像側方向に移動する。フォーカスレンズ群ＡおよびＢのフォーカシング時におけるレンズ移動距離の相対関係は、ズームポジション毎に変化する。また、フォーカスレンズ群ＡおよびＢのフォーカシング時におけるレンズ移動距離は、互いに線形の関係を示す。
【００７７】
また、このズームレンズでは、通常撮影モードとマクロ撮影モードの切替えの前後において、第３ズームレンズ群ＧＲ３の負レンズＬ３６と第４ズームレンズ群ＧＲ４の正レンズＬ４１との間の相対位置が変わるように構成される。また、通常撮影モードとマクロ撮影モードの切替えの前後において、第３ズームレンズ群ＧＲ３の負レンズＬ３６と第４ズームレンズ群ＧＲ４の正レンズＬ４１とのうちフォーカシングを担うレンズが変わるように構成される。
【００７８】
［ズームレンズの緒元］
表７に、第９の実施の形態におけるズームレンズに具体的数値を適用した数値実施例２のレンズデータを示す。
【表７】
2014066944.tif 000009
【００７９】
この数値実施例２のズームレンズでは、第２ズームレンズ群ＧＲ２の負レンズＬ２１の両面（第４面、第５面）、正レンズＬ２３の両面（第８面、第９面）、第３ズームレンズ群ＧＲ３の正レンズＬ３１の両面（第１１面、第１２面）、正レンズＬ３４の両面（第１６面、第１７面）、第４ズームレンズ群ＧＲ４の正レンズＬ４１の両面（第２２面、第２３面）は、非球面に形成される。これら各面の円錐定数к、第４次、第６次、第８次および第１０次の非球面係数Ａ４、Ａ６、Ａ８およびＡ１０を、表８に示す。
【表８】
2014066944.tif 000010
【００８０】
表９に、この数値実施例２の広角端状態、中間焦点距離状態および望遠端状態における焦点距離ｆ、Ｆ値Ｆｎｏおよび半画角ωを示す。
【表９】
2014066944.tif 000011
【００８１】
この数値実施例２のズームレンズでは、通常撮影モードにおける広角端状態と望遠端状態の間の変倍に際して、被写体距離を無限遠とした場合には、第１ズームレンズ群ＧＲ１と第２ズームレンズ群ＧＲ２との間の面間隔ｄ３、第２ズームレンズ群ＧＲ２と第３ズームレンズ群ＧＲ３との間の面間隔ｄ９、正レンズＬ３５と負レンズＬ３６との間の面間隔ｄ１９、第３ズームレンズ群ＧＲ３と第４ズームレンズ群ＧＲ４との間の面間隔ｄ２１、第４ズームレンズ群ＧＲ４とフィルタＳＧとの間の面間隔ｄ２３が変化する。この場合における各面間隔の広角端状態、中間焦点距離状態および望遠端状態における可変間隔を表１０に示す。
【表１０】
2014066944.tif 000012
【００８２】
また、この数値実施例２のズームレンズでは、通常撮影モードにおける広角端状態と望遠端状態の間の変倍に際して、被写体距離を至近とした場合には、正レンズＬ３５と負レンズＬ３６との間の面間隔ｄ１９、第３ズームレンズ群ＧＲ３と第４ズームレンズ群ＧＲ４との間の面間隔ｄ２１、第４ズームレンズ群ＧＲ４とフィルタＳＧとの間の面間隔ｄ２３が変化する。この場合における各面間隔の広角端状態、中間焦点距離状態および望遠端状態における可変間隔を表１１に示す。
【表１１】
2014066944.tif 000013
【００８３】
また、この数値実施例２のズームレンズでは、マクロ撮影モードにおける広角端状態と望遠端状態の間の変倍に際して、被写体距離を至近とした場合には、正レンズＬ３５と負レンズＬ３６との間の面間隔ｄ１９、第３ズームレンズ群ＧＲ３と第４ズームレンズ群ＧＲ４との間の面間隔ｄ２１、第４ズームレンズ群ＧＲ４とフィルタＳＧとの間の面間隔ｄ２３が変化する。この場合における各面間隔の広角端状態、中間焦点距離状態および望遠端状態における可変間隔を表１２に示す。
【表１２】
2014066944.tif 000014
【００８４】
＜１０．第１０の実施の形態＞
［レンズ構成］
図１０は、本技術の第１０の実施の形態におけるズームレンズのレンズ構成を示す図である。この第１０の実施の形態におけるズームレンズは、物体側より順に、正の屈折力を有する第１ズームレンズ群ＧＲ１と、負の屈折力を有する第２ズームレンズ群ＧＲ２と、正の屈折力を有する第３ズームレンズ群ＧＲ３と、正の屈折力を有する第４ズームレンズ群ＧＲ４とから構成される。
【００８５】
第１ズームレンズ群ＧＲ１は、物体側から像側へ順に、像側に凹面を向けたメニスカス形状の負レンズＬ１１および物体側に凸面を向けたメニスカス形状の正レンズＬ１２が接合されてなる接合レンズから構成される。
【００８６】
第２ズームレンズ群ＧＲ２は、像側に凹面を向けたメニスカス形状の負レンズＬ２１と、負レンズＬ２２と、物体側に凸面を向けたメニスカス形状の正レンズＬ２３とを、物体側から像側へ順に配置することにより構成される。
【００８７】
第３ズームレンズ群ＧＲ３は、正レンズＬ３１と、正レンズＬ３２および負レンズＬ３３の接合レンズと、像側に凸面を向けたメニスカス形状の正レンズＬ３４と、正レンズＬ３５と、像側に凹面を向けたメニスカス形状の負レンズＬ３６とを、物体側から像側へ順に配置することにより構成される。
【００８８】
第４ズームレンズ群ＧＲ４は、物体側に凸面を向けたメニスカス形状の正レンズＬ４１から構成される。
【００８９】
第３ズームレンズ群ＧＲ３の物体側には、開口絞りＳＴＯが配置される。また、第４ズームレンズ群ＧＲ４と像面ＩＭＧとの間には、フィルタＳＧが配置される。
【００９０】
このズームレンズでは、負レンズＬ３６をフォーカスレンズ群Ａとし、正レンズＬ４１をフォーカスレンズ群Ｂとして、フォーカシングの際にフォーカスレンズ群ＡおよびＢが互いに連動して移動するフローティングフォーカス方式を採用する。遠距離から近距離へのフォーカシングの際には、フォーカスレンズ群ＡおよびＢは光軸に沿って像側方向に移動する。フォーカスレンズ群ＡおよびＢのフォーカシング時におけるレンズ移動距離の相対関係は、ズームポジション毎に変化する。また、フォーカスレンズ群ＡおよびＢのフォーカシング時におけるレンズ移動距離は、互いに線形の関係を示す。
【００９１】
また、このズームレンズでは、通常撮影モードとマクロ撮影モードの切替えの前後において、第３ズームレンズ群ＧＲ３の負レンズＬ３６と第４ズームレンズ群ＧＲ４の正レンズＬ４１との間の相対位置が変わるように構成される。また、通常撮影モードとマクロ撮影モードの切替えの前後において、第３ズームレンズ群ＧＲ３の負レンズＬ３６と第４ズームレンズ群ＧＲ４の正レンズＬ４１とのうちフォーカシングを担うレンズが変わるように構成される。
【００９２】
［ズームレンズの緒元］
表１３に、第１０の実施の形態におけるズームレンズに具体的数値を適用した数値実施例３のレンズデータを示す。
【表１３】
2014066944.tif 000015
【００９３】
この数値実施例３のズームレンズでは、第２ズームレンズ群ＧＲ２の負レンズＬ２１の両面（第４面、第５面）、正レンズＬ２３の両面（第８面、第９面）、第３ズームレンズ群ＧＲ３の正レンズＬ３１の両面（第１１面、第１２面）、正レンズＬ３４の両面（第１６面、第１７面）、第４ズームレンズ群ＧＲ４の正レンズＬ４１の両面（第２２面、第２３面）は、非球面に形成される。これら各面の円錐定数к、第４次、第６次、第８次および第１０次の非球面係数Ａ４、Ａ６、Ａ８およびＡ１０を、表１４に示す。
【表１４】
2014066944.tif 000016
【００９４】
表１５に、この数値実施例３の広角端状態、中間焦点距離状態および望遠端状態における焦点距離ｆ、Ｆ値Ｆｎｏおよび半画角ωを示す。
【表１５】
2014066944.tif 000017
【００９５】
この数値実施例３のズームレンズでは、通常撮影モードにおける広角端状態と望遠端状態の間の変倍に際して、被写体距離を無限遠とした場合には、第１ズームレンズ群ＧＲ１と第２ズームレンズ群ＧＲ２との間の面間隔ｄ３、第２ズームレンズ群ＧＲ２と第３ズームレンズ群ＧＲ３との間の面間隔ｄ９、正レンズＬ３５と負レンズＬ３６との間の面間隔ｄ１９、第３ズームレンズ群ＧＲ３と第４ズームレンズ群ＧＲ４との間の面間隔ｄ２１、第４ズームレンズ群ＧＲ４とフィルタＳＧとの間の面間隔ｄ２３が変化する。この場合における各面間隔の広角端状態、中間焦点距離状態および望遠端状態における可変間隔を表１６に示す。
【表１６】
2014066944.tif 000018
【００９６】
また、この数値実施例３のズームレンズでは、通常撮影モードにおける広角端状態と望遠端状態の間の変倍に際して、被写体距離を至近とした場合には、正レンズＬ３５と負レンズＬ３６との間の面間隔ｄ１９、第３ズームレンズ群ＧＲ３と第４ズームレンズ群ＧＲ４との間の面間隔ｄ２１、第４ズームレンズ群ＧＲ４とフィルタＳＧとの間の面間隔ｄ２３が変化する。この場合における各面間隔の広角端状態、中間焦点距離状態および望遠端状態における可変間隔を表１７に示す。
【表１７】
2014066944.tif 000019
【００９７】
また、この数値実施例３のズームレンズでは、マクロ撮影モードにおける広角端状態と望遠端状態の間の変倍に際して、被写体距離を至近とした場合には、正レンズＬ３５と負レンズＬ３６との間の面間隔ｄ１９、第３ズームレンズ群ＧＲ３と第４ズームレンズ群ＧＲ４との間の面間隔ｄ２１、第４ズームレンズ群ＧＲ４とフィルタＳＧとの間の面間隔ｄ２３が変化する。この場合における各面間隔の広角端状態、中間焦点距離状態および望遠端状態における可変間隔を表１８に示す。
【表１８】
2014066944.tif 000020
【００９８】
＜１１．第１１の実施の形態＞
［レンズ構成］
図１１は、本技術の第１１の実施の形態におけるズームレンズのレンズ構成を示す図である。この第１１の実施の形態におけるズームレンズは、物体側より順に、正の屈折力を有する第１ズームレンズ群ＧＲ１と、負の屈折力を有する第２ズームレンズ群ＧＲ２と、正の屈折力を有する第３ズームレンズ群ＧＲ３と、正の屈折力を有する第４ズームレンズ群ＧＲ４とから構成される。
【００９９】
第１ズームレンズ群ＧＲ１は、物体側から像側へ順に、像側に凹面を向けたメニスカス形状の負レンズＬ１１および物体側に凸面を向けたメニスカス形状の正レンズＬ１２が接合されてなる接合レンズから構成される。
【０１００】
第２ズームレンズ群ＧＲ２は、像側に凹面を向けたメニスカス形状の負レンズＬ２１と、負レンズＬ２２と、物体側に凸面を向けたメニスカス形状の正レンズＬ２３とを、物体側から像側へ順に配置することにより構成される。
【０１０１】
第３ズームレンズ群ＧＲ３は、正レンズＬ３１と、正レンズＬ３２および負レンズＬ３３の接合レンズと、像側に凸面を向けたメニスカス形状の正レンズＬ３４と、像側に凹面を向けたメニスカス形状の負レンズＬ３５とを、物体側から像側へ順に配置することにより構成される。すなわち、他の実施の形態と異なり、この第１１の実施の形態におけるズームレンズでは、第３ズームレンズ群ＧＲ３は５枚のレンズ構成となっている。
【０１０２】
第４ズームレンズ群ＧＲ４は、物体側に凸面を向けたメニスカス形状の正レンズＬ４１から構成される。
【０１０３】
第３ズームレンズ群ＧＲ３の物体側には、開口絞りＳＴＯが配置される。また、第４ズームレンズ群ＧＲ４と像面ＩＭＧとの間には、フィルタＳＧが配置される。
【０１０４】
このズームレンズでは、負レンズＬ３５をフォーカスレンズ群Ａとし、正レンズＬ４１をフォーカスレンズ群Ｂとして、フォーカシングの際にフォーカスレンズ群ＡおよびＢが互いに連動して移動するフローティングフォーカス方式を採用する。遠距離から近距離へのフォーカシングの際には、フォーカスレンズ群ＡおよびＢは光軸に沿って像側方向に移動する。フォーカスレンズ群ＡおよびＢのフォーカシング時におけるレンズ移動距離の相対関係は、ズームポジション毎に変化する。また、フォーカスレンズ群ＡおよびＢのフォーカシング時におけるレンズ移動距離は、互いに線形の関係を示す。
【０１０５】
また、このズームレンズでは、通常撮影モードとマクロ撮影モードの切替えの前後において、第３ズームレンズ群ＧＲ３の負レンズＬ３５と第４ズームレンズ群ＧＲ４の正レンズＬ４１との間の相対位置が変わるように構成される。また、通常撮影モードとマクロ撮影モードの切替えの前後において、第３ズームレンズ群ＧＲ３の負レンズＬ３５と第４ズームレンズ群ＧＲ４の正レンズＬ４１とのうちフォーカシングを担うレンズが変わるように構成される。
【０１０６】
［ズームレンズの緒元］
表１９に、第１１の実施の形態におけるズームレンズに具体的数値を適用した数値実施例４のレンズデータを示す。
【表１９】
2014066944.tif 000021
【０１０７】
この数値実施例４のズームレンズでは、第２ズームレンズ群ＧＲ２の負レンズＬ２１の両面（第４面、第５面）、正レンズＬ２３の両面（第８面、第９面）、第３ズームレンズ群ＧＲ３の正レンズＬ３１の両面（第１１面、第１２面）、正レンズＬ３４の両面（第１６面、第１７面）、第４ズームレンズ群ＧＲ４の正レンズＬ４１の両面（第２０面、第２１面）は、非球面に形成される。これら各面の円錐定数к、第４次、第６次、第８次および第１０次の非球面係数Ａ４、Ａ６、Ａ８およびＡ１０を、表２０に示す。
【表２０】
2014066944.tif 000022
【０１０８】
表２１に、この数値実施例４の広角端状態、中間焦点距離状態および望遠端状態における焦点距離ｆ、Ｆ値Ｆｎｏおよび半画角ωを示す。
【表２１】
2014066944.tif 000023
【０１０９】
この数値実施例４のズームレンズでは、通常撮影モードにおける広角端状態と望遠端状態の間の変倍に際して、被写体距離を無限遠とした場合には、第１ズームレンズ群ＧＲ１と第２ズームレンズ群ＧＲ２との間の面間隔ｄ３、第２ズームレンズ群ＧＲ２と第３ズームレンズ群ＧＲ３との間の面間隔ｄ９、正レンズＬ３４と負レンズＬ３５との間の面間隔ｄ１７、第３ズームレンズ群ＧＲ３と第４ズームレンズ群ＧＲ４との間の面間隔ｄ１９、第４ズームレンズ群ＧＲ４とフィルタＳＧとの間の面間隔ｄ２１が変化する。この場合における各面間隔の広角端状態、中間焦点距離状態および望遠端状態における可変間隔を表２２に示す。
【表２２】
2014066944.tif 000024
【０１１０】
また、この数値実施例４のズームレンズでは、通常撮影モードにおける広角端状態と望遠端状態の間の変倍に際して、被写体距離を至近とした場合には、正レンズＬ３４と負レンズＬ３５との間の面間隔ｄ１７、第３ズームレンズ群ＧＲ３と第４ズームレンズ群ＧＲ４との間の面間隔ｄ１９、第４ズームレンズ群ＧＲ４とフィルタＳＧとの間の面間隔ｄ２１が変化する。この場合における各面間隔の広角端状態、中間焦点距離状態および望遠端状態における可変間隔を表２３に示す。
【表２３】
2014066944.tif 000025
【０１１１】
また、この数値実施例４のズームレンズでは、マクロ撮影モードにおける広角端状態と望遠端状態の間の変倍に際して、被写体距離を至近とした場合には、正レンズＬ３４と負レンズＬ３５との間の面間隔ｄ１７、第３ズームレンズ群ＧＲ３と第４ズームレンズ群ＧＲ４との間の面間隔ｄ１９、第４ズームレンズ群ＧＲ４とフィルタＳＧとの間の面間隔ｄ２１が変化する。この場合における各面間隔の広角端状態、中間焦点距離状態および望遠端状態における可変間隔を表２４に示す。
【表２４】
2014066944.tif 000026
【０１１２】
＜１２．第１２の実施の形態＞
［レンズ構成］
図１２は、本技術の第１２の実施の形態におけるズームレンズのレンズ構成を示す図である。この第１２の実施の形態におけるズームレンズは、物体側より順に、正の屈折力を有する第１ズームレンズ群ＧＲ１と、負の屈折力を有する第２ズームレンズ群ＧＲ２と、正の屈折力を有する第３ズームレンズ群ＧＲ３と、負の屈折力を有する第４ズームレンズ群ＧＲ４と、正の屈折力を有する第５ズームレンズ群ＧＲ５とから構成される。
【０１１３】
第１ズームレンズ群ＧＲ１は、物体側から像側へ順に、像側に凹面を向けたメニスカス形状の負レンズＬ１１および物体側に凸面を向けたメニスカス形状の正レンズＬ１２が接合されてなる接合レンズから構成される。
【０１１４】
第２ズームレンズ群ＧＲ２は、像側に凹面を向けたメニスカス形状の負レンズＬ２１と、負レンズＬ２２と、物体側に凸面を向けたメニスカス形状の正レンズＬ２３とを、物体側から像側へ順に配置することにより構成される。
【０１１５】
第３ズームレンズ群ＧＲ３は、正レンズＬ３１と、正レンズＬ３２および負レンズＬ３３の接合レンズと、像側に凸面を向けたメニスカス形状の正レンズＬ３４と、正レンズＬ３５とを、物体側から像側へ順に配置することにより構成される。
【０１１６】
第４ズームレンズ群ＧＲ４は、像側に凹面を向けたメニスカス形状の負レンズＬ４１から構成される。
【０１１７】
第５ズームレンズ群ＧＲ５は、物体側に凸面を向けたメニスカス形状の正レンズＬ５１から構成される。
【０１１８】
第３ズームレンズ群ＧＲ３の物体側には、開口絞りＳＴＯが配置される。また、第５ズームレンズ群ＧＲ５と像面ＩＭＧとの間には、フィルタＳＧが配置される。
【０１１９】
このズームレンズでは、負レンズＬ４１をフォーカスレンズ群Ａとし、正レンズＬ５１をフォーカスレンズ群Ｂとして、フォーカシングの際にフォーカスレンズ群ＡおよびＢが互いに連動して移動するフローティングフォーカス方式を採用する。すなわち、他の実施の形態と異なり、フォーカスレンズ群Ａを第３ズームレンズ群ＧＲ３から独立させた形式になっている。遠距離から近距離へのフォーカシングの際には、フォーカスレンズ群ＡおよびＢは光軸に沿って像側方向に移動する。フォーカスレンズ群ＡおよびＢのフォーカシング時におけるレンズ移動距離の相対関係は、ズームポジション毎に変化する。また、フォーカスレンズ群ＡおよびＢのフォーカシング時におけるレンズ移動距離は、互いに線形の関係を示す。
【０１２０】
また、このズームレンズでは、通常撮影モードとマクロ撮影モードの切替えの前後において、第４ズームレンズ群ＧＲ４の負レンズＬ４１と第５ズームレンズ群ＧＲ５の正レンズＬ５１との間の相対位置が変わるように構成される。また、通常撮影モードとマクロ撮影モードの切替えの前後において、第４ズームレンズ群ＧＲ４の負レンズＬ４１と第５ズームレンズ群ＧＲ５の正レンズＬ５１とのうちフォーカシングを担うレンズが変わるように構成される。
【０１２１】
［ズームレンズの緒元］
表２５に、第１２の実施の形態におけるズームレンズに具体的数値を適用した数値実施例５のレンズデータを示す。
【表２５】
2014066944.tif 000027
【０１２２】
この数値実施例５のズームレンズでは、第２ズームレンズ群ＧＲ２の負レンズＬ２１の両面（第４面、第５面）、正レンズＬ２３の両面（第８面、第９面）、第３ズームレンズ群ＧＲ３の正レンズＬ３１の両面（第１１面、第１２面）、正レンズＬ３４の両面（第１６面、第１７面）、第５ズームレンズ群ＧＲ５の正レンズＬ５１の両面（第２２面、第２３面）は、非球面に形成される。これら各面の円錐定数к、第４次、第６次、第８次および第１０次の非球面係数Ａ４、Ａ６、Ａ８およびＡ１０を、表２６に示す。
【表２６】
2014066944.tif 000028
【０１２３】
表２７に、この数値実施例５の広角端状態、中間焦点距離状態および望遠端状態における焦点距離ｆ、Ｆ値Ｆｎｏおよび半画角ωを示す。
【表２７】
2014066944.tif 000029
【０１２４】
この数値実施例５のズームレンズでは、通常撮影モードにおける広角端状態と望遠端状態の間の変倍に際して、被写体距離を無限遠とした場合には、第１ズームレンズ群ＧＲ１と第２ズームレンズ群ＧＲ２との間の面間隔ｄ３、第２ズームレンズ群ＧＲ２と第３ズームレンズ群ＧＲ３との間の面間隔ｄ９、正レンズＬ３５と負レンズＬ４１との間の面間隔ｄ１９、第４ズームレンズ群ＧＲ４と第５ズームレンズ群ＧＲ５との間の面間隔ｄ２１、第５ズームレンズ群ＧＲ５とフィルタＳＧとの間の面間隔ｄ２３が変化する。この場合における各面間隔の広角端状態、中間焦点距離状態および望遠端状態における可変間隔を表２８に示す。
【表２８】
2014066944.tif 000030
【０１２５】
また、この数値実施例５のズームレンズでは、通常撮影モードにおける広角端状態と望遠端状態の間の変倍に際して、被写体距離を至近とした場合には、正レンズＬ３５と負レンズＬ４１との間の面間隔ｄ１９、第４ズームレンズ群ＧＲ４と第５ズームレンズ群ＧＲ５との間の面間隔ｄ２１、第５ズームレンズ群ＧＲ５とフィルタＳＧとの間の面間隔ｄ２３が変化する。この場合における各面間隔の広角端状態、中間焦点距離状態および望遠端状態における可変間隔を表２９に示す。
【表２９】
2014066944.tif 000031
【０１２６】
また、この数値実施例５のズームレンズでは、マクロ撮影モードにおける広角端状態と望遠端状態の間の変倍に際して、被写体距離を至近とした場合には、正レンズＬ３５と負レンズＬ４１との間の面間隔ｄ１９、第４ズームレンズ群ＧＲ４と第５ズームレンズ群ＧＲ５との間の面間隔ｄ２１、第５ズームレンズ群ＧＲ５とフィルタＳＧとの間の面間隔ｄ２３が変化する。この場合における各面間隔の広角端状態、中間焦点距離状態および望遠端状態における可変間隔を表３０に示す。
【表３０】
2014066944.tif 000032
【０１２７】
［条件式のまとめ］
表３１に第８乃至第１２の実施の形態の数値実施例１乃至５における各値を示す。この図において、シフトレンズ群とは、通常撮影モードとマクロ撮影モードの切替えの際に移動（シフト）するレンズ群であり、数値実施例１乃至５においては何れもフォーカスレンズ群Ｂがその役割を担っている。この値からも明らかなように、条件式（ａ）および（ｂ）を満足することがわかる。
【表３１】
2014066944.tif 000033
【０１２８】
＜１３．適用例＞
［撮像装置の構成］
図１３は、本技術の第１乃至１２の実施の形態によるズームレンズを撮像装置１００に適用した例を示す図である。この撮像装置１００は、カメラブロック１１０と、カメラ信号処理部１２０と、画像処理部１３０と、表示部１４０と、リーダライタ１５０と、プロセッサ１６０と、操作受付部１７０と、レンズ駆動制御部１８０とを備えている。
【０１２９】
カメラブロック１１０は、撮像機能を担うものであり、第１乃至１２の実施の形態によるズームレンズ１１１と、そのズームレンズ１１１により形成された光学像を電気的信号に変換する撮像素子１１２とを備える。撮像素子１１２としては、例えば、ＣＣＤ（Charge Coupled Device）やＣＭＯＳ（Complementary Metal-Oxide Semiconductor）等の光電変換素子を利用することができる。ズームレンズ１１１としては、ここでは、第１乃至１２の実施の形態のレンズ群を単レンズに簡略化して示している。
【０１３０】
カメラ信号処理部１２０は、撮影された画像信号のアナログ−デジタル変換等の信号処理を行うものである。このカメラ信号処理部１２０は、撮像素子１１２からの出力信号に対してデジタル信号への変換を行う。また、このカメラ信号処理部１２０は、ノイズ除去、画質補正、輝度・色差信号への変換等の各種の信号処理を行う。
【０１３１】
画像処理部１３０は、画像信号の記録再生処理を行うものである。この画像処理部１３０は、所定の画像データフォーマットに基づく画像信号の圧縮符号化・伸張復号化処理や解像度等のデータ仕様の変換処理等を行う。
【０１３２】
表示部１４０は、撮影された画像等を表示するものである。この表示部１４０は、操作受付部１７０における操作状態や、撮影した画像等の各種のデータを、表示する機能を有している。この表示部１４０は、例えば液晶ディスプレイ（ＬＣＤ：Liquid Crystal Display）により構成することができる。
【０１３３】
リーダライタ１５０は、メモリカード１９０に対して画像信号の書込みおよび読出しのアクセスを行うものである。このリーダライタ１５０は、画像処理部１３０によって符号化された画像データをメモリカード１９０に対して書き込み、また、メモリカード１９０に記録された画像データを読み出す。メモリカード１９０は、例えば、リーダライタ１５０に接続されたスロットに対して着脱可能な半導体メモリである。
【０１３４】
プロセッサ１６０は、撮像装置の全体を制御するものである。このプロセッサ１６０は、撮像装置１００に設けられた各回路ブロックを制御する制御処理部として機能し、操作受付部１７０からの操作指示信号等に基づいて各回路ブロックを制御する。
【０１３５】
操作受付部１７０は、ユーザからの操作を受け付けるものである。この操作受付部１７０は、例えば、シャッター操作を行うためのシャッターレリーズボタンや、動作モードを選択するための選択スイッチ等によって実現することができる。例えば、通常撮影モードまたはマクロ撮影モードの何れか一方を選択するモード選択も、この操作受付部１７０において受け付けることができる。この操作受付部１７０によって受け付けられた操作指示信号は、プロセッサ１６０に供給される。
【０１３６】
レンズ駆動制御部１８０は、カメラブロック１１０に配置されたレンズの駆動を制御するものである。このレンズ駆動制御部１８０は、ズームレンズ１１１の各レンズを駆動するための（図示しない）モータ等を、プロセッサ１６０からの制御信号に基づいて制御する。
【０１３７】
この撮像装置１００では、撮影の待機状態においては、プロセッサ１６０による制御下でカメラブロック１１０において撮影された画像信号が、カメラ信号処理部１２０を介して表示部１４０に出力され、カメラスルー画像として表示される。また、操作受付部１７０においてズーミングのための操作指示信号が受け付けられると、プロセッサ１６０はレンズ駆動制御部１８０に制御信号を出力し、レンズ駆動制御部１８０の制御に基づいてズームレンズ１１１の所定のレンズが移動される。
【０１３８】
操作受付部１７０においてシャッター操作が受け付けられると、撮影された画像信号がカメラ信号処理部１２０から画像処理部１３０に出力されて圧縮符号化処理され、所定のデータフォーマットのデジタルデータに変換される。変換されたデータはリーダライタ１５０に出力され、メモリカード１９０に書き込まれる。
【０１３９】
フォーカシングは、例えば、操作受付部１７０においてシャッターレリーズボタンが半押しされた場合や、記録（撮影）のために全押しされた場合等に行われる。この場合、プロセッサ１６０からの制御信号に基づいて、レンズ駆動制御部１８０がズームレンズ１１１の所定のレンズを移動させる。
【０１４０】
メモリカード１９０に記録された画像データを再生する場合には、操作受付部１７０において受け付けられた操作に応じて、リーダライタ１５０によってメモリカード１９０から所定の画像データが読み出される。そして、画像処理部１３０によって伸張復号化処理が行われた後、再生画像信号が表示部１４０に出力されて、再生画像が表示される。
【０１４１】
なお、上述の実施の形態においては撮像装置１００をデジタルスチルカメラと想定した例を示したが、撮像装置１００はデジタルスチルカメラに限られることはなく、デジタルビデオカメラ等のデジタル入出力機器として広く適用することができる。
【０１４２】
このように、本技術の実施の形態によれば、２つのレンズ群の相対位置またはそれらのフォーカシングを担う役割を変えることにより、他のレンズ位置を変更することなく通常撮影モードとマクロ撮影モードを切り替えることができる。
【０１４３】
なお、上述の実施の形態は本技術を具現化するための一例を示したものであり、実施の形態における事項と、特許請求の範囲における発明特定事項とはそれぞれ対応関係を有する。同様に、特許請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【０１４４】
なお、本技術は以下のような構成もとることができる。
（１）光軸方向に独立して移動可能な第１および第２のレンズ群を光学系内に有し、最短撮影可能距離の異なる２つのモードの切替えの前後において、前記第１および第２のレンズ群のうちフォーカシングを担うレンズ群が変わり、または、前記第１および第２のレンズ群間の相対位置が変わるズームレンズ。
（２）前記２つのモードのうち最短撮影可能距離が短いモードにおいて、前記第１および第２のレンズ群の何れか一方をズームポジション毎に一定量シフトさせることにより撮影可能距離範囲を近距離側に変化させる前記（１）に記載のズームレンズ。
（３）前記第１および第２のレンズ群のうち少なくとも一方がズーミングの際に独立して移動する前記（１）または（２）に記載のズームレンズ。
（４）前記第１および第２のレンズ群の双方がフォーカシングの際に移動量を連動させて移動する前記（１）から（３）のいずれかに記載のズームレンズ。
（５）前記第１および第２のレンズ群が光学系の最も像側に順に並んで配置される前記（１）から（４）のいずれかに記載のズームレンズ。
（６）前記第１および第２のレンズ群がそれぞれ１枚のレンズで構成される前記（１）から（５）のいずれかに記載のズームレンズ。
（７）前記第１および第２のレンズ群のうち少なくとも一方が１枚のプラスティックレンズにより構成される前記（１）から（６）のいずれかに記載のズームレンズ。
（８）実質的にレンズパワーを有さないレンズをさらに有する前記（１）から（７）のいずれかに記載のズームレンズ。
（９）正の屈折力を有する第１ズームレンズ群と、負の屈折力を有する第２ズームレンズ群と、正の屈折力を有する第３ズームレンズ群と、正の屈折力を有する第４ズームレンズ群とを物体側から順に配置することにより構成され、
前記第３レンズ群の最も像側に配置された負レンズと前記第４ズームレンズ群を構成する正レンズとが光軸方向に独立して移動可能であり、
最短撮影可能距離の異なる２つのモードの切替えの前後において、前記負レンズと前記正レンズのうちフォーカシングを担うレンズが変わり、または、前記前記負レンズと前記正レンズと間の相対位置が変わるズームレンズ。
（１０）実質的にレンズパワーを有さないレンズをさらに有する前記（９）に記載のズームレンズ。
（１１）正の屈折力を有する第１ズームレンズ群と、負の屈折力を有する第２ズームレンズ群と、正の屈折力を有する第３ズームレンズ群と、負の屈折力を有する第４ズームレンズ群と、正の屈折力を有する第５ズームレンズ群とを物体側から順に配置することにより構成され、
前記第４ズームレンズ群を構成する負レンズと前記第５ズームレンズ群を構成する正レンズとが光軸方向に独立して移動可能であり、
最短撮影可能距離の異なる２つのモードの切替えの前後において、前記負レンズと前記正レンズのうちフォーカシングを担うレンズが変わり、または、前記前記負レンズと前記正レンズと間の相対位置が変わるズームレンズ。
（１２）実質的にレンズパワーを有さないレンズをさらに有する前記（１１）に記載のズームレンズ。
（１３）光軸方向に独立して移動可能な第１および第２のレンズ群を光学系内に有し、最短撮影可能距離の異なる２つのモードの切替えの前後において、前記第１および第２のレンズ群のうちフォーカシングを担うレンズ群が変わり、または、前記第１および第２のレンズ群間の相対位置が変わるズームレンズと、
前記ズームレンズにより形成された光学像を電気的信号に変換する撮像素子と
を具備する撮像装置。
（１４）前記２つのモードのうちの一方を選択するための選択部をさらに具備する前記（１３）に記載の撮像装置。
（１５）前記ズームレンズにおいて実質的にレンズパワーを有さないレンズをさらに有する前記（１４）に記載の撮像装置。
【符号の説明】
【０１４５】
１００  撮像装置
１１０  カメラブロック
１１１  ズームレンズ
１１２  撮像素子
１２０  カメラ信号処理部
１３０  画像処理部
１４０  表示部
１５０  リーダライタ
１６０  プロセッサ
１７０  操作受付部
１８０  レンズ駆動制御部
１９０  メモリカード
【図１】
2014066944.tif 000034
【図２】
2014066944.tif 000035
【図３】
2014066944.tif 000036
【図４】
2014066944.tif 000037
【図５】
2014066944.tif 000038
【図６】
2014066944.tif 000039
【図７】
2014066944.tif 000040
【図８】
2014066944.tif 000041
【図９】
2014066944.tif 000042
【図１０】
2014066944.tif 000043
【図１１】
2014066944.tif 000044
【図１２】
2014066944.tif 000045
【図１３】
2014066944.tif 000046